(57)【要約】【課題】バランスのとれた再生音が得られ、喧噪したホールでも充分な音量の効果音を遊技者に伝達することができると共に、不正行為の防止を図ることのできる遊技機を提供する。【解決手段】遊技機１０の筐体内部に配設されることによって閉塞空間Ｓ１を形成する共鳴部材４０にスピーカ４５を取り付け音響再生手段３１とする。この共鳴部材４０によって少なくとも遊技装置４１〜４３等の左右側方と筐体１１とが互いに隔てられるようにする。【選択図】  図３
2004223071.tif 000002
【特許請求の範囲】
【請求項１】
箱型状に形成される筐体と、遊技状態に応じた効果音を出力する音響再生手段とを備えた遊技機において、
前記音響再生手段は、スピーカと、該スピーカの後段に密接している共鳴部材とで構成され、
前記共鳴部材は、少なくとも前記筐体内の左右側面に沿って閉塞空間を形成するように設けられていることを特徴とする遊技機。
【請求項２】
前記共鳴部材は、少なくとも前記筐体の左右側面を共用して閉塞空間を形成していることを特徴とする請求項１記載の遊技機。
【請求項３】
前記共鳴部材は、前記筐体の左右側面及び上面に沿って略コ字状に形成されており、前記筐体の左右側面及び上面を共用して密閉空間を形成していることを特徴とする請求項１記載の遊技機。
【請求項４】
前記共鳴部材の何れかに閉塞空間に連通する貫通孔が形成されていることを特徴とする請求項１記載の遊技機。
【請求項５】
前記共鳴部材には、遊技状態に応じて開度が調整される絞り弁が備えられていることを特徴とする請求項１乃至４に記載の遊技機。
【発明の詳細な説明】
【０００１】
【発明の属する技術分野】
この発明は、遊技機に関するもので、特にスロットマシーン等の箱型遊技機の音響及び不正防止に関するものである。
【０００２】
【従来の技術】
一般に、遊技機は、遊技状態に応じて様々な演出効果を高めるために効果音が出力されるように構成されている。そして、特許文献１に記載されている回胴式遊技機にあっては、複数列のリールの外周面に描かれた図柄が予め設定されている組み合わせになって入賞すると効果音が出力されるようになっている。
【０００３】
【特許文献１】
特開２００１−２１２２８５号公報（図２）
【０００４】
ところで、上述した従来の遊技機によれば、図７に示されるように、遊技機１の筐体内部には効果音を出力するためのスピーカ２が取り付けられているが、このスピーカ２は遊技機１の前面を開閉する開閉パネル３の裏面側に裸のまま取り付けられている。そのため、この遊技機１においては、音量を増大しようとすると、スピーカ２から出力された再生音の低音域が不足気味となり、高音域が強調されたバランスの悪い効果音となってしまうという問題があった。
そして、音量を上げると高音域がさらに強くなり遊技者に不快感を与えるため、スピーカ２の音量は絞らざるをえなくなり、そのため、喧噪したホールでは充分な音量の効果音を遊技者に伝達することができないという問題が生じてしまう。
【０００５】
また、スピーカ２が裸のまま取り付けられているため、例えば、開閉パネル３のスピーカ穴等の隙間から差し込まれた鋭利な工具によってスピーカ２のコーンに穴があけられたり、或いは主に筐体の側面が穿孔工具等によって穴があけられて、そこから遊技機１の筐体内部に針金等の細工物が差し入れられて、ホッパー４や各種の制御基盤（図示略）、或いは電源装置５等に不正行為が行われてしまうという問題がある。
【０００６】
本発明は、上記従来の遊技機の問題点に鑑みてなされたものであり、バランスのとれた効果音が得られ、喧噪したホールでも充分な音質の効果音を遊技者に伝達することができると共に、不正行為の防止を図ることのできる遊技機を提供することを目的とする。
【０００７】
【課題を解決するための手段】
上記目的を達成するために第１の発明は、箱型状に形成される筐体と、遊技状態に応じた効果音を出力する音響再生手段とを備えた遊技機において、
前記音響再生手段は、スピーカと、該スピーカの後段に密接している共鳴部材とで構成され、前記共鳴部材は、少なくとも前記筐体内の左右側面に沿って閉塞空間を形成するように設けられていることを特徴とする。
【０００８】
また、第２の発明は、第１の発明の構成に加えて、前記共鳴部材は、少なくとも前記筐体の左右側面を共用して閉塞空間を形成していることを特徴とする。
【０００９】
これらの構成による遊技機によれば、スピーカを備えた共鳴部材が筐体内に配設されると、筐体内の左右側面には閉塞空間が形成されている。
これにより、スピーカから出力された再生音が共鳴部材によって共鳴されるので、再生音、特に低音特性が乱れなくなると共に、スピーカの最低共振周波数特性が改善されるので、バランスのとれた再生音が得られるようになり、喧噪したホールでも充分な音量の効果音を遊技者に伝達することができるようになる。しかも、筐体は、共鳴部材が配設されることによって筐体内の左右側面に閉塞空間が形成されているので、たとえ、筐体の側面に穴があけられたとしてもそれ以上筐体内部にアクセスすることはできなくなり、不正行為の防止をより強化することが可能となる。
【００１０】
また、第３の発明は、第１の発明の構成に加えて、前記共鳴部材は、前記筐体の左右側面及び上面に沿って略コ字状に形成されており、前記筐体の左右側面及び上面を共用して密閉空間を形成していることを特徴とする。
【００１１】
この構成による遊技機によれば、スピーカを備えた共鳴部材が筐体内に配設されると、筐体内の左右側面及び上面に沿って閉塞空間が形成される。
これにより、第１，２とほぼ同様の作用効果が得られて、バランスのとれた再生音が得られるようになり、喧噪したホールでも充分な音量の効果音を遊技者に伝達することができるようになる。しかも、筐体は、共鳴部材が配設されることによって筐体内の左右側面及び上面に沿って閉塞空間が形成されるので、たとえ、筐体の側面、或いは上面に穴があけられたとしてもそれ以上筐体内部にアクセスすることはできなくなり、不正行為の防止をより強化することが可能となる。
【００１２】
第４の発明は、上記第１の発明の構成に加えて、前記共鳴部材の何れかに閉塞空間に連通する貫通穴が形成されていることを特徴とする。
【００１３】
この構成による遊技機によれば、共鳴部材の何れかには閉塞空間に連通する貫通穴が形成されている。
これにより、スピーカの背面側から閉塞空間に向かって出力された再生音が、貫通穴を通って前面側に導かれると、スピーカの前面側から出力された再生音と相強め合うようになる。そのため、スピーカから出力された効果音の低音再生限界が高められて、豊かな再生音、特に豊かな重低音が得られるようになる。しかも、共鳴部材に貫通穴が形成されても、その貫通穴からはそれ以上筐体内部にアクセスすることはできないので、不正行為の防止が損なわれることはない。
【００１４】
第５の発明は、上記第１乃至第４の発明の構成に加えて、前記共鳴部材には、遊技状態に応じて開度が調整される絞り弁が備えられていることを特徴とする。
【００１５】
この構成による遊技機によれば、遊技機に形成された閉塞空間には、遊技状態に応じて開度調節される絞り弁が備えられている。
これにより、スピーカの背面側から閉塞空間に向かって出力された再生音は、その再生音が伝達される経路の太さが絞り弁によって可変されることによって、遊技状態に応じて再生音の共鳴速度が可変されるので、残響や余韻等の多種多彩な効果音の表現が可能となると共に、絞り弁が閉塞空間内に異物が挿入された際の抵抗体となるので、不正行為の防止をさらに強化することができる。
【００１６】
【発明の実施の形態】
以下、この発明の最も好適と思われる第１の実施形態について図面を参照しながら詳細に説明を行う。
図１は、本発明が適用される遊技機の外観を説明するための正面図、図２は、同例における遊技機の前面側に取り付けられた開閉パネルの裏面図、図３は、同例における遊技機の内部構造を説明するための内部構造図、図４は、図１中のＡ−Ａ矢視における側断面図である。
【００１７】
まず、本発明が適用される遊技機の外観について説明する。
図１に示されるように、遊技機１０は、例えば具体的な一例を挙げると回胴式遊技機、すなわちスロットマシーンであって、正面視が縦長のほぼ矩形状となるように形成された筐体１１の前面側を開閉可能とする開閉パネル１２の中央部には、素通しのリール窓部１３が配設され、筐体１１内部に配設された複数列からなる第１〜第３のリール１４，１５，１６（図１中、一点鎖線で示す）の外周面に描かれた複数種類の図柄がリール窓部１３を通して外部から視認できるようになっている。
【００１８】
このリール窓部１３の右手前側には、メダル投入口１７が設けられ、このメダル投入口１７にメダルを投入するとゲームが開始される。また、メダル投入口１７の下方側には、イジェクトボタン１８が設けられており、このイジェクトボタン１８を押圧操作すると、メダル投入口１７に投入したメダルがダクト１９（図２に図示）を介して直ちに強制排出される。
【００１９】
さらに、リール窓部１３の左手前側には、次のゲームに使用できるメダル枚数を設定するための押圧操作がなされる各種のボタン、つまり、メダル１枚投入用の１ベットボタン２０、２枚投入用の２ベットボタン２１、３枚投入用のベットボタン２２がそれぞれ配置されている。これら各ボタン２０〜２２の下方側には、スタートレバー２３が上下方向に向かって揺動可能に取り付けられており、このスタートレバー２３を押圧操作すると第１〜第３のリール１４〜１６が一斉に回転を始める。
【００２０】
これら第１〜第３のリール１４〜１６の回転は、図示しない制御手段によって制御され、所定回転数以上に達すると、リール窓部１３の下方側に取り付けられた第１〜第３のリール１４〜１６にそれぞれ対応する第１〜第３のストップボタン２４〜２６を押圧操作することによって、それぞれのリール１４〜１６の回転が停止される。
【００２１】
また、スタートレバー２３を押圧操作すると、第１〜第３のリール１４〜１６の回転が開始されるだけでなく、図示しない制御部によって役の設定がなされ、そのチャンス予告演出は、リール窓部１３の上方側に取り付けられた補助表示画面２７を通じて行われると共に、補助表示画面２７の上方及びリール窓部１３の左右両側に配置された演出効果部２８，２９，３０によって視覚的な演出効果がなされるだけでなく、図３に示されるように、筐体１１内部に形成される音響再生手段３１によって効果音が出力されて聴覚的にも遊技者に伝達される。なお、この音響再生手段３１については後述する。
【００２２】
また、この音響再生手段３１から出力された効果音は、図２に示されるように、開閉パネル１２の４隅に開口形成された開口穴３２〜３５等を通して筐体１１の前面側に放出される。これらの開口穴３２〜３５は、図１に示されるように、異物挿入防止及びデフューザー（音響レンズ）を兼ね備えたスリットや蜂の巣状の細孔等によってその前面側が覆われている。
【００２３】
なお、補助表示画面２７に表示されるのは、上述したチャンス予告演出だけではなく、図示しない制御手段によって、獲得枚数表示やボーナス確定表示等、多種多彩で視覚的な演出表示がなされるように設定されている。
【００２４】
また、リール窓部１３の下方側には、図１に示されるように、その機種のイメージキャラクタが描かれたタイトルパネル３６が配置されていると共に、このタイトルパネル３６の左右下方側には、機種の型式認定紙及びキャラクタの許諾証（図示略）がそれぞれ貼られるようになっている。そして、タイトルパネル３６よりも下方側には、メダル払出口３７から吐出されるメダルを受け止めて貯留するメダル受け部３８が一体的に取り付けられている。このメダル受け部３８の左側部には、灰皿３９が設けられている。
【００２５】
次に、この遊技機１０の筐体内部構造について説明する。
図３，４に示されるように、遊技機１０の外殻をなす筐体１１は、左右側面部１１Ａ，Ｂ、上下面部１１Ｃ，Ｄおよび背面部１１Ｅから構成されており、その筐体内部には、筐体内部に配設されることによって閉塞空間Ｓ１を形成する共鳴部材４０が配設されている。
【００２６】
共鳴部材４０は、図３，４に示されるように、筐体１１の左側面部１１Ａに所定距離をあけて配置される仕切り板４０Ａと、右側面部１１Ｂに所定距離をあけて配置される仕切り板４０Ｂと、これら仕切り板４０Ａ，４０Ｂの上端部間に架橋され、上面部１１Ｃに所定距離をあけて配置される仕切り板４０Ｃと、これら仕切り板４０Ａ〜４０Ｃの前端側と筐体１１との間に配置される正面視が門形状の前面パネル板４０Ｄとから構成されている。
【００２７】
仕切り板４０Ａ〜Ｃの後端部は、図４に示されるように、筐体１１の背面部１１Ｅに接合されるように延設されているが、このような形態に限られるものではなく、図５に示されるように、筐体１１の背面部１１Ｅに所定距離をあけて配置される仕切り板４０Ｅを設けるようにしてもよい。
【００２８】
そして、筐体内部に共鳴部材４０が配置されることによって形成された閉塞空間Ｓ１とは異なる空間Ｓ２、つまり筐体１１の下面部１１Ｄと仕切り板４０Ａ〜Ｃとによって筐体中央部に形成された正面視が矩形状の空間Ｓ２には、遊技装置としての第１〜第３のリール１４〜１６及びそれらを支持するリール支持部４１、リール支持部４１の下方側に配置されて入賞に応じて払い出すメダルを貯留するホッパー４２、電源装置４３等が収納配置されている。
【００２９】
なお、図３に示されるように、閉塞空間Ｓ１と空間Ｓ２との境界は共鳴部材４０によって正面視が矩形状となるように形成されているが、このような形態に限られるものではなく、遊技装置４１〜４３等との干渉を回避するために共鳴部材４０の各形状を適宜変形させることによって、正面視がアーチ形状となるように形成されてもよい。
【００３０】
このような共鳴部材４０の前面パネル板４０Ｄには、筐体１１の前面側を開閉する開閉パネル１２や筐体１１の右側面部１１Ｂの内側に取り付けられた施錠部材４４，４４（図３に図示）と干渉することがないように、図４に示されるような凹凸状に加工が施されている。
【００３１】
さらに、図３に示されるように、この前面パネル板４０Ｄの右下方側、すなわち、仕切り板４０Ｂと右側面部１１Ｂとによって挟まれた前面パネル板４０Ｄの下方側にはスピーカ４５が取り付けられている。
【００３２】
このスピーカ４５は、図示しない制御手段によって遊技状態に応じた効果音が出力されるように設定されているものであって、その正面側が、前面パネル板４０Ｄの前方側、すなわち開閉パネル１２の裏面側に対向するように取り付けられている。そして、このスピーカ４５が取り付けられるスペースが最大限に確保されるように、仕切り板４０Ｂの下端部は空間Ｓ２内に向かって張り出されるように形成されている（図３参照）。
【００３３】
そして、閉塞空間Ｓ１を形成する前面パネル板４０Ｄにスピーカ４５が備えられることによって密閉型スピーカボックスの音響再生手段３１が構成される。この音響再生手段３１にあっては、閉塞空間Ｓ１がスピーカ容積となることによって、スピーカ４５のｆ０（最低共振周波数）特性が改善されて低音特性をのばすと共に再生音を増幅する共鳴ボックスとなるうえに、スピーカ４５の前面側から出力された再生音と背面側から出力された再生音とを前面パネル板４０Ｄによって遮断することによって、低音特性が乱れないようになっている。
【００３４】
そのため、かかる構成を備えた本発明の遊技機によれば、遊技機１０の筐体内部にスピーカ４５と共鳴部材４０とが配置されることによって、密閉型スピーカボックスの音響再生手段３１が形成されるので、スピーカ４５の前面側から出力された再生音と背面側から出力された再生音とが共鳴部材４０の前面パネル板４０Ｄによって遮断されるとともに、スピーカ４５から出力された再生音が共鳴部材４０によって増幅される。そのことによって、再生音、特に低音特性が乱れなくなると共に、スピーカ４５の能率が向上して最低共振周波数特性が改善されるので、バランスのとれた再生音が得られるようになり、喧噪したホールでも充分な音量の効果音を遊技者に伝達することができるようになる。しかも、筐体１１内に収納される遊技装置４１〜４３等は、筐体１１と共鳴部材４０とによって外部から２重に遮断されるので、たとえ、スピーカ４５のコーンや筐体１１の側面に穿孔工具、たとえば熱ドリル等によって穴があけられたとしても、その穴からはそれ以上筐体内部にアクセスすることが防止されるので、遊技装置４１〜４３等にアクセスするような遊技機１０に対する不正行為の防止をより強化することが可能となる。
【００３５】
ところで、音響再生手段３１の形態は、上述した形態に限られたものではなく、再生音のさらなる向上や不正行為の防止、及び筐体１１内部に配設される遊技装置４１〜４３等の形状に応じて、細部の形状を適宜変更してもよい。
【００３６】
すなわち、前面パネル板４０Ｄに取り付けられるスピーカ４５は、前面パネル板４０Ｄの右下方側にのみ取り付けられるものではなく、右下方側とは異なる位置にも取り付けることができる。また、前面パネル板４０Ｄに取り付けられるのは、単独のスピーカ４５のみに限定されるものではなく、他のスピーカを取り付けてマルチウェイシステムを構成することもできる。
【００３７】
また、図３，４に示されるように、閉塞空間Ｓ１内に抜き差しされる可動式の仕切り板４６（図中にあっては一点鎖線）を筐体１１の背面側、或いは左右側面側、もしくは前面側からほぼ水平のまま挿入し支持させて、閉塞空間Ｓ１を複数段の区画に区切ることができるように構成してもよい。
【００３８】
この構成によれば、閉塞空間Ｓ１のスピーカ容積を可変させることが可能になるので、遊技機１０の設置場所に応じた最適な再生音が得られるようになると共に、音響再生手段３１をマルチウェイシステムとした場合の閉塞空間Ｓ１内での再生音同士の干渉を防ぐことができ、しかも、仕切り板４６によって閉塞空間Ｓ１内が細かく区画されるので、さらなる不正行為の防止を図ることができる。
【００３９】
なお、筐体１１の背面部１１Ｅに形成された可動式の仕切り板４６が抜き差しされる差し込み口は、脱着可能な音漏れ防止用のグロメット４７によって塞がれる。
【００４０】
また、図３に示されるように、筐体１１、或いは前面パネル板４０Ｄの少なくとも何れか１つに、閉塞空間Ｓ１に連通する所定径状の貫通穴４８を開口形成してもよい。
【００４１】
この構成によれば、スピーカ４５の背面側から出力された再生音は、閉塞空間Ｓ１内を伝わって貫通穴４８から放出されるバスレフ型のスピーカボックスとしての音響再生手段３１が構成される。
【００４２】
これにより、スピーカ４５の背面側から閉塞空間Ｓ１内に向かって出力された再生音が、貫通穴４８を通って共鳴部材４０の前面側に導かれると、スピーカ４５の前面側から出力された再生音と相強め合うようになる。
そのため、スピーカ４５から出力された効果音の低音再生限界が高められて、豊かな再生音、特に豊かな重低音が得られるようになる。しかも、共鳴部材４０に貫通穴４８が形成されても、その貫通穴４８からは直接遊技装置４１〜４３等にアクセスすることはできないので、不正行為の防止が損なわれることはない。なお、貫通穴４８に、閉塞空間Ｓ１内に向かって延ばされた図示しないダクトを設けるようにしてもよい。
【００４３】
さらにまた、図３に示されるように、閉塞空間Ｓ１に、図示しない制御手段によって遊技状態に応じて開度が調整される絞り弁４９を備えるようにしてもよい。
【００４４】
これにより、スピーカ４５の背面側から閉塞空間Ｓ１内に向かって出力された再生音は、その再生音が伝達される経路の太さが絞り弁４９によって可変されることによって、遊技状態に応じて再生音の共鳴速度が可変され、残響や余韻等の多種多彩な効果音の表現が可能となると共に、絞り弁４９が閉塞空間Ｓ１内に異物が挿入された際の抵抗体となるので、不正行為の防止をさらに強化することができる。
【００４５】
また、図６に示されるように、仕切り板４０Ａ，４０Ｂの上端部を筐体１１の上面板１１Ｃの下面側に接合するように延設してもよい。
【００４６】
ところで、共鳴部材４０は、遊技装置４１〜４３等との干渉を回避すると共に最大限のスピーカ容積が得られるように、湾曲形成されたり、或いは凹凸状に形成されてもよい。さらに、この共鳴部材４０は、木製、金属製、或いは合成樹脂製のうち、少なくとも何れか１つから形成されるのが好ましいが、筐体１１よりも硬質な材質であればなお良い。
【００４７】
それらの結果、バランスのとれた再生音が得られ、喧噪したホールでも充分な音量の効果音を遊技者に伝達することができると共に、不正行為の防止を図ることのできる遊技機を提供することができる。
【００４８】
なお、本遊技機は、スロットマシーンにのみ適用されるものではなく、箱型遊技機全てに適用することができる。
【００４９】
【発明の効果】
以上述べたように、本発明の遊技機によれば、遊技機１０の筐体内部にスピーカ４５と共鳴部材４０とが配置されることによって、密閉型スピーカボックスの音響再生手段３１が形成されるので、スピーカ４５の前面側から出力された再生音と背面側から出力された再生音とが共鳴部材４０の前面パネル板４０Ｄによって遮断されるとともに、スピーカ４５から出力された再生音が共鳴部材４０によって増幅される。そのことによって、再生音、特に低音特性が乱れなくなると共に、スピーカ４５の能率が向上して最低共振周波数特性が改善されるので、バランスのとれた再生音が得られるようになり、喧噪したホールでも充分な音量の効果音を遊技者に伝達することができるようになる。しかも、筐体１１内に収納される遊技装置４１〜４３等は、筐体１１と共鳴部材４０とによって外部から２重に遮断されるので、たとえ、スピーカ４５のコーンや筐体１１の側面に穿孔工具、たとえば熱ドリル等によって穴があけられたとしても、その穴からはそれ以上筐体内部にアクセスすることが防止されるので、遊技装置４１〜４３等にアクセスするような遊技機１０に対する不正行為の防止をより強化することが可能となる。
【００５０】
また、本発明によれば、スピーカ４５の背面側から出力された再生音が、閉塞空間Ｓ１内を伝わって貫通穴４８から放出されるバスレフ型のスピーカボックスとしての音響再生手段３１が構成されるので、スピーカ４５の背面側から閉塞空間Ｓ１内に向かって出力された再生音が、貫通穴４８を通って共鳴部材４０の前面側に導かれると、スピーカ４５の前面側から出力された再生音と相強め合うようになる。そのため、スピーカ４５から出力された効果音の低音再生限界が高められて、豊かな再生音、特に豊かな重低音が得られるようになる。しかも、共鳴部材４０に貫通穴４８が形成されても、その貫通穴４８からは直接遊技装置４１〜４３等にアクセスすることはできないので、不正行為の防止が損なわれることはない。
【００５１】
さらにまた、本発明によれば、スピーカ４５の背面側から閉塞空間Ｓ１内に向かって出力された再生音は、その再生音が伝達される経路の太さが絞り弁４９によって可変されるので、遊技状態に応じて再生音の共鳴速度が可変され、残響や余韻等の多種多彩な効果音の表現が可能となると共に、絞り弁４９が閉塞空間Ｓ１内に異物が挿入された際の抵抗体となるので、不正行為の防止をさらに強化することができる。
【図面の簡単な説明】
【図１】本発明が適用される遊技機の外観を説明するための正面図である。
【図２】同例における遊技機の前面側に取り付けられた開閉パネルの裏面図である。
【図３】同例における遊技機の筐体内部構造を説明するための内部構造図である。
【図４】図１中のＡ−Ａ矢視側断面図である。
【図５】同例とは異なる遊技機の筐体内部構造を説明するための側断面図である。
【図６】同例とは異なる遊技機の筐体内部構造を説明するための側断面図である。
【図７】従来の遊技機を説明するための説明図である。
【符号の説明】
１０  遊技機
１１  筐体
３１  音響再生手段
４０  共鳴部材
４５  スピーカ
５１  貫通穴
５２  絞り弁
Ｓ１  閉塞空間
【図１】
2004223071.tif 000003
【図２】
2004223071.tif 000004
【図３】
2004223071.tif 000005
【図４】
2004223071.tif 000006
【図５】
2004223071.tif 000007
【図６】
2004223071.tif 000008
【図７】
2004223071.tif 000009